(57)【要約】【課題】トレーディングカードと光記録媒体とを結合した複合式カードにおいて、図柄や素材の自由度をできる限り損ねることなく、高精細な映像や音声等の記録情報によって付加価値を与え、さらに、低コスト化を実現する。【解決手段】カード図柄が描かれた面Ａには、それぞれの図柄に対応した暗号ＩＤを例えばバーコード状に印刷しており、専用再生装置が最初に暗号ＩＤを読み取る。そして、この暗号ＩＤが指示するディスク面Ｂ上のアドレスへアクセスし、カードの図柄に対応した固有の情報Ｘのみを再生する。これにより、カード１枚１枚毎にマスタリング原盤を作製する必要が無くなり、マスタリング原盤作製枚数が大幅に削減されるので、生産コストを低下できる。複数種類カードの情報を記録した大容量ＲＯＭ型光ディスク構造を採用し、カード記録容量を１ＧＢ以上とする。【選択図】　　　　図１
2004079114.tif 000002
【特許請求の範囲】
【請求項１】
情報記録媒体から情報を再生する情報記録媒体再生方法であって、
前記情報記録媒体は、任意の図柄を印刷した第１面を構成する第１部材と、前記第１面の図柄に関連する再生用データを光ディスクのフォーマットで記録した第２面を構成する第２部材とを貼り付けて形成され、
前記第２部材で形成される第２面には複数の再生用データが記録され、
前記第１部材で形成される第１面には当該第１面に印刷された図柄に対応し、かつ、前記第２面に記録された複数の再生用データを選択するためのＩＤ情報が印刷され、
前記第１面のＩＤ情報を読み取って解読することにより、前記第２面に記録された複数の再生用データを選択して再生を行う、
ことを特徴とする情報記録媒体再生方法。
【請求項２】
前記ＩＤ情報は暗号化されたデータであることを特徴とする請求項１記載の情報記録媒体再生方法。
【請求項３】
前記ＩＤ情報は１次元または２次元のパターンコードデータであることを特徴とする請求項１記載の情報記録媒体再生方法。
【請求項４】
前記ＩＤ情報は専用の読み取り装置によって読み取ることを特徴とする請求項１記載の情報記録媒体再生方法。
【請求項５】
前記ＩＤ情報は、前記図柄と同時印刷によって前記第１部材に設けられていることを特徴とする請求項１記載の情報記録媒体再生方法。
【請求項６】
前記第２面にはエラー対策として同一の内容を有するｎ個（ｎ≧２）の再生用データＸ１、Ｘ２、Ｘ３、……Ｘｎが重複して記録するとともに、前記ＩＤ情報には各再生用データＸ１、Ｘ２、Ｘ３、……Ｘｎの全てのデータへのアクセスを可能とする情報を含ませることにより、各再生用データＸ１、Ｘ２、Ｘ３、……Ｘｎに対して前記ＩＤ情報を用いて順番に再生動作を試行し、再生不能な再生用データは飛ばして再生可能な再生用データの再生動作を実行することを特徴とする請求項１記載の情報記録媒体再生方法。
【請求項７】
情報記録媒体から情報を再生する情報記録媒体再生装置であって、
前記情報記録媒体は、任意の図柄を印刷した第１面を構成する第１部材と、前記第１面の図柄に関連する再生用データを光ディスクのフォーマットで記録した第２面を構成する第２部材とを貼り付けて形成され、
前記第２部材で形成される第２面には複数の再生用データが記録され、
前記第１部材で形成される第１面には当該第１面に印刷された図柄に対応し、かつ、前記第２面に記録された複数の再生用データを選択して再生するためのＩＤ情報が印刷され、
前記第１面のＩＤ情報を読み取るＩＤ情報手段と、
前記ＩＤ情報手段によって読み取られてＩＤ情報を解読することにより、前記第２面に記録された複数の再生用データを選択して再生を行うデータ再生手段とを有している、
ことを特徴とする情報記録媒体再生装置。
【請求項８】
前記ＩＤ情報は暗号化されたデータであることを特徴とする請求項７記載の情報記録媒体再生装置。
【請求項９】
前記ＩＤ情報は１次元または２次元のパターンコードデータであることを特徴とする請求項７記載の情報記録媒体再生装置。
【請求項１０】
前記ＩＤ情報は専用の読み取り装置によって読み取ることを特徴とする請求項７記載の情報記録媒体再生装置。
【請求項１１】
前記ＩＤ情報は、前記図柄と同時印刷によって前記第１部材に設けられていることを特徴とする請求項７記載の情報記録媒体再生装置。
【請求項１２】
前記第２面にはエラー対策として同一の内容を有するｎ個（ｎ≧２）の再生用データＸ１、Ｘ２、Ｘ３、……Ｘｎが重複して記録するとともに、前記ＩＤ情報には各再生用データＸ１、Ｘ２、Ｘ３、……Ｘｎの全てのデータへのアクセスを可能とする情報を含ませることにより、前記データ再生手段は、各再生用データＸ１、Ｘ２、Ｘ３、……Ｘｎに対して前記ＩＤ情報を用いて順番に再生動作を試行し、再生不能な再生用データは飛ばして再生可能な再生用データの再生動作を実行することを特徴とする請求項７記載の情報記録媒体再生装置。
【請求項１３】
前記データ再生手段は、再生波長λ≦４５０ｍｍ、対物レンズの開口数ＮＡ≧０．６０でデータの再生を行うことを特徴とする請求項７記載の情報記録媒体再生装置。
【請求項１４】
任意の図柄を印刷した第１面を構成する第１部材と、前記第１面の図柄に関連する再生用データを光ディスクのフォーマットで記録した第２面を構成する第２部材とを貼り付けて形成され、
前記第２部材で形成される第２面には複数の再生用データが記録され、
前記第１部材で形成される第１面には当該第１面に印刷された図柄に対応し、かつ、前記第２面に記録された複数の再生用データを選択して再生するためのＩＤ情報が印刷されている、
ことを特徴とする情報記録媒体。
【請求項１５】
前記ＩＤ情報は暗号化されたデータであることを特徴とする請求項１４記載の情報記録媒体。
【請求項１６】
前記ＩＤ情報は、前記図柄と同時印刷によって前記第１部材に設けられていることを特徴とする請求項１４記載の情報記録媒体。
【請求項１７】
前記第２面にはエラー対策として同一の内容を有するｎ個（ｎ≧２）の再生用データＸ１、Ｘ２、Ｘ３、……Ｘｎが重複して記録するとともに、前記ＩＤ情報には各再生用データＸ１、Ｘ２、Ｘ３、……Ｘｎの全てのデータへのアクセスを可能とする情報を含ませることにより、各再生用データＸ１、Ｘ２、Ｘ３、……Ｘｎに対して前記ＩＤ情報を用いて順番に再生動作を試行し、再生不能な再生用データは飛ばして再生可能な再生用データの再生動作を実行することを特徴とする請求項１４記載の情報記録媒体。
【請求項１８】
前記第２部材には前記再生用データを記録する機能を有することを特徴とする請求項１４記載の情報記録媒体。
【請求項１９】
前記第２部材で形成される第２面には、再生専用型光ディスクフォーマットに基づくピット列が形成されていることを特徴とする請求項１４記載の情報記録媒体。
【請求項２０】
前記第２部材で形成される第２面のデータ記録容量が１ギガバイト以上であることを特徴とする請求項１４記載の情報記録媒体。
【請求項２１】
前記第２部材で形成される第２面の記録開始半径Ｒｉｎが、Ｒｉｎ≦１０ｍｍであることを特徴とする請求項１４記載の情報記録媒体。
【請求項２２】
ディスク回転機構にチャックするための中心穴を有し、前記中心穴の直径Ｄが、Ｄ≦８ｍｍの円形であることを特徴とする請求項１４記載の情報記録媒体。
【請求項２３】
ディスク回転機構にチャックするための中心穴を有し、前記中心穴が直径８ｍｍ以下の内円にあり、かつ中心非対称形状に形成されていることを特徴とする請求項１４記載の情報記録媒体。
【請求項２４】
前記第２部材の基板厚ｔが、ｔ＝０．３８ｍｍ以下であることを特徴とする請求項１４記載の情報記録媒体。
【請求項２５】
前記第１部材と第２部材とを貼り合わせた状態での外形がほぼ長方形のカード形状であることを特徴とする請求項１４記載の情報記録媒体。
【請求項２６】
前記第１部材と第２部材とを貼り合わせた状態での外形が、６３．５ｍｍ（±２ｍｍ）×８９ｍｍ（±２ｍｍ）の寸法範囲にある長方形のカード形状であることを特徴とする請求項１４記載の情報記録媒体。
【発明の詳細な説明】
【０００１】
【発明の属する技術分野】
本発明は、光記録媒体と各種図柄カードとを組み合わせて各種図柄に対応した電子情報の再生を行うようにした情報記録媒体、並びにその再生方法及び再生装置に関する。
【０００２】
【従来の技術】
従来より、例えばスポーツ選手、タレント、アニメのキャラクタ等を図柄としたカード（いわゆる「トレーディングカード」という）には根強い人気がある。そして、最近では、このようなトレーディングカードの裏面にカード形状のＣＤ−ＲＯＭを貼り合わせ、簡単な映像や音声を記録した複合式のカードが一部流通している。
以下、そのようなカード構造について説明する。
【０００３】
図９は、このような複合式カードの構造を示す説明図であり、図９（Ａ）は図柄印刷面を示す平面図、図９（Ｂ）（Ｃ）は複合式カードを構成するＣＤ−ＲＯＭ（またはＣＤ−Ｒ、ＣＤ−ＲＷ）側の信号記録面を示す拡大斜視図、図９（Ｄ）は複合式カードの貼り合わせ断面構造を示す断面図である。
また、図１０は、複合式カードを構成するＣＤ−ＲＯＭの構成例を示す平面図及び側断面図である。
この複合式カード１は、図柄印刷面（面Ａ）を構成する第１カード体１０とＣＤ−ＲＯＭ面（面Ｂ）を構成する第２カード体２０とを接着によって貼り合わせたものである。
この複合式カードの外形寸法（国際基準サイズ）は、６３．５ｍｍ×８９．０ｍｍ（許容値は縦横とも±２ｍｍ）である。
また、複合式カード１の中心には、ＣＤ−ＲＯＭ再生機にチャッキングするための直径１５ｍｍ中心穴３０が開けられている。
そして、第１カード体１０による面Ａには、図柄が印刷されている（図９（Ａ）の例では野球選手の守備中の図柄を示している）。
【０００４】
また、面Ｂを構成する第２カード体２０は、ポリカーボネート等のプラスチック成形基板に円環状の信号記録部２２を設けたものである。
そして、この第２カード体２０の一方（外側）の面Ｂ−１は平面であり、もう一方（内側）の面Ｂ−２にはピットと呼ばれる微小凹凸パターン４０が転写されている（図９（Ｂ））。そして、この面Ｂ−２のピットパターン上には、アルミニウム等の金属反射膜Ｌｒが成膜されている。
ＣＤ−ＲＯＭ機による情報の読み取りは、平面Ｂ−１側から入射する再生光レーザによって行われる。
【０００５】
なお、ＣＤ−ＲやＣＤ−ＲＷ等の追記型媒体を採用する場合には、面Ｂ−２にはグルーブと呼ばれる連続溝５０が主に転写されており（図９（Ｃ））、その上には有機色素膜、あるいは相変化膜等の記録可能膜Ｌｗが成膜されている。
そして、情報の書き込み、及び読み取りは、同様に平面Ｂ−１側から入射する記録／再生光によって行われる。
また、面Ｂを構成する第２カード体２０の厚さは、ＣＤ規格に準じて１．２ｍｍである。ただし、再生機トレイの８ｃｍＣＤ用案内溝を利用してカードをセットするために、カードの中心から直径８０ｍｍの円周上に段差２４を設けて、その内側（信号記録部）を１．２ｍｍ厚、外側（信号未記録部）をそれよりやや薄くしている場合（例えば、０．７ｍｍ厚）がある（図１０）。
【０００６】
【発明が解決しようとする課題】
ところで、上述のような複合式カードを用いて、従来のトレーディングカードに映像や音声、あるいはデータシート等の付加価値が加われば、収集家人口は一気に増加することが予想される。
例えば、巨人軍・松井選手のホームランカードであれば、そのホームラン映像等を添付し、スポーツ選手カードにはその選手のプレー映像や成績データを添付し、タレントカードにはいわゆる「お宝映像」等を添付することにより、一部熱心なカードマニアのみならず、一般消費者にも普及する可能性がある。
【０００７】
しかしながら、現在市場に出ているＣＤ−ＲＯＭタイプのカードには、より広範な普及を目指すにあたって以下の欠点がある。
（１）この種のカードは少量多品種であるところが収集熱を高揚することになるが、それぞれの種類についてＣＤ−ＲＯＭを個別にマスタリングすると、生産コストが上がってしまい、カードを消費者に安価で提供できない。
あるいは、ＣＤ−Ｒ等追記型の媒体を用いてカードを作製し、１枚毎に情報書き込み機（ライタ）で内容を記録する方法もあるが、非常に生産性が悪い。
（２）ＣＤ−ＲＯＭの転送レートは２Ｍｂｉｔ／ｓ程度であり、ＤＶＤ同等の高精細な映像を提供するには、能力不足である。
（３）ＣＤ−ＲＯＭ再生機にチャッキングするために直径１５ｍｍもの中心穴が必要になってしまうが、これがカードとしての美観を損ね、図柄を制限してしまう。
（４）ＣＤ−ＲＯＭでは１．２ｍｍ厚のポリカーボネート（あるいは屈折率約１．５のプラスチック等の透明材料）を通して再生レーザ光を照射しなくては信号の読み取りができない。
そのため、カードを１．２ｍｍ厚のポリカーボネートで作製しなければならず、素材や形状が制限されてしまう。
【０００８】
そこで本発明の目的は、トレーディングカードと光記録媒体とを結合した複合式カードにおいて、トレーディングカード本来の魅力である図柄や素材の自由度をできる限り損ねることなく、高精細な映像や音声等の記録情報によって付加価値を与え、さらに、そのような多種類の記録情報を含む複合式カードの製造を低コストで実現でき、販売価格を抑制し、普及・発展に貢献することが可能な情報記録媒体とその再生方法及び装置を提供することにある。
【０００９】
【課題を解決するための手段】
本発明の情報記録媒体再生方法は、前記目的を達成するため、情報記録媒体から情報を再生する情報記録媒体再生方法であって、前記情報記録媒体は、任意の図柄を印刷した第１面を構成する第１部材と、前記第１面の図柄に関連する再生用データを光ディスクのフォーマットで記録した第２面を構成する第２部材とを貼り付けて形成され、前記第２部材で形成される第２面には複数の再生用データが記録され、前記第１部材で形成される第１面には当該第１面に印刷された図柄に対応し、かつ、前記第２面に記録された複数の再生用データを選択するためのＩＤ情報が印刷され、前記第１面のＩＤ情報を読み取って解読することにより、前記第２面に記録された複数の再生用データを選択して再生を行うことを特徴とする。
【００１０】
また本発明の情報記録媒体再生装置は、情報記録媒体から情報を再生する情報記録媒体再生装置であって、前記情報記録媒体は、任意の図柄を印刷した第１面を構成する第１部材と、前記第１面の図柄に関連する再生用データを光ディスクのフォーマットで記録した第２面を構成する第２部材とを貼り付けて形成され、前記第２部材で形成される第２面には複数の再生用データが記録され、前記第１部材で形成される第１面には当該第１面に印刷された図柄に対応し、かつ、前記第２面に記録された複数の再生用データを選択して再生するためのＩＤ情報が印刷され、前記第１面のＩＤ情報を読み取るＩＤ情報手段と、前記ＩＤ情報手段によって読み取られてＩＤ情報を解読することにより、前記第２面に記録された複数の再生用データを選択して再生を行うデータ再生手段とを有していることを特徴とする。
【００１１】
さらに本発明の情報記録媒体は、任意の図柄を印刷した第１面を構成する第１部材と、前記第１面の図柄に関連する再生用データを光ディスクのフォーマットで記録した第２面を構成する第２部材とを貼り付けて形成され、前記第２部材で形成される第２面には複数の再生用データが記録され、前記第１部材で形成される第１面には当該第１面に印刷された図柄に対応し、かつ、前記第２面に記録された複数の再生用データを選択して再生するためのＩＤ情報が印刷されていることを特徴とする。
【００１２】
本発明では、情報記録媒体を任意の図柄を印刷した第１面を構成する第１部材と、第１面の図柄に関連する再生用データを光ディスクのフォーマットで記録した第２面を構成する第２部材とを貼り付けた構造とし、その第２面には複数の再生用データを記録しておくとともに、第１部材で形成される第１面には、当該第１面に印刷された図柄に対応し、かつ、第２面に記録された複数の再生用データを選択するためのＩＤ情報を印刷しておく。
そして、情報記録媒体の再生時には、第１面のＩＤ情報を読み取って解読することにより、第２面に記録された複数の再生用データを選択して再生を行う。
【００１３】
したがって、第１部材側を大容量化して多数の種類の再生用データを格納することにより、光記録媒体の生産を共通化して生産コストを低下させ、第１部材側は多品種少量生産によって多数種類の図柄に対応し、かつ、ＩＤ情報を用いて再生用データを選択することで、図柄に対応した再生用データを再生できる情報記録媒体を提供できる。
この結果、トレーディングカードと光記録媒体とを結合した複合式カードにおいて、トレーディングカード本来の魅力である図柄や素材の自由度をできる限り損ねることなく、高精細な映像や音声等の記録情報によって付加価値を与え、さらに、そのような多種類の記録情報を含む複合式カードの製造を低コストで実現でき、販売価格を抑制し、普及・発展に貢献することが可能となる。
【００１４】
【発明の実施の形態】
以下、本発明による情報記録媒体とその再生方法及び再生装置の実施の形態について説明する。
まず、本発明の実施の形態による情報記録媒体、再生方法、及び再生装置の概要を説明し、その後、具体的な実施例を図面を用いて説明するものとする。
初めに映像等記録を行うための情報記録媒体（複合式カード）について説明する。
本実施の形態で用いる媒体は、光ディスク（ＲＯＭ（再生専用）型、あるいは記録可能型）、若しくは近年市場において普及が著しいメモリステック、ＳＤカード、スマートメディア等に代表される固体メモリとの選択の余地があるが、ここでは光ディスクの使用を前提とする。
【００１５】
その理由は、現時点で光ディスク（ＣＤ−Ｒ型）と固体メモリで比較した場合に、光ディスクは容量について１０倍、容量あたりの価格で１／５０という優位性があるからである。
特に、コストについては普及のための絶対条件であり、この点で圧倒的に光ディスクは優っている。
ただし今後は固体メモリにも生産技術の進歩、量産効果によって著しく低価格化が進むと思われるが、作製プロセス数の多さ、複雑さを考慮すると光ディスクの域には到達しないものと予想される（ただし、光ディスクには再生時に回転機構を要し、回転時の偏芯を５０μｍＰ−Ｐ　程度に抑えなければ安定してトラックを追跡できないため、回転中心に精度良くディスク保持穴を設けなければならないという短所も存在する）。
なお、光ディスクでも記録可能型に１枚ずつ追記していては生産性に劣るので、ＲＯＭ型が望ましい。
【００１６】
以上のように本実施の形態では、光ディスクの長所である大容量、低コスト性を最大限に活用しつつ、従来のＣＤ−ＲＯＭ機再生型の欠点であった直径１５ｍｍ大の中心穴による問題を軽減することを１つの目的としており、専用再生機の存在を前提としてトレーディングカード対応の新たな光ディスクフォーマットを提案するものである。以下、この前提に基づいて説明を行う。
【００１７】
まず、本実施の形態では、１枚に複数種類カードの情報（再生用データ）を記録した大容量型ＲＯＭ構造を採用することによって、マスタリング原盤作製枚数を減らし製作コストを削減する。
そして、カード図柄面Ａ（第１面）には、それぞれの図柄に対応した暗号ＩＤ（ＩＤ情報）が例えばバーコード状に印刷されており、専用再生機が最初にこの暗号ＩＤを読み取ると、この暗号ＩＤが指示する情報記録面Ｂ（第２面）上のアドレスへアクセスし、カード図柄面Ａの図柄に対応した固有の情報Ｘ（再生用データ）のみを再生する。
このような機能を具現化するために、カードの仕様、構造は以下の通りとする。
（ａ）カード記録容量：１ギガバイト（ＧＢ）以上
（ｂ）記録信号最内周半径Ｒｉｎ：１０ｍｍ以下
（ｃ）中心穴直径Ｄ：８ｍｍ以下
（ｄ）基板厚ｔ（再生光入射面から信号面までの距離）：０．３８ｍｍ以下
とする。
以下に、それぞれの根拠について説明する。
【００１８】
まず、通常のトレーディングカードの外形寸法は６３．５ｍｍｘ８９．０ｍｍであるため、記録可能半径は最大約３０ｍｍである。
そのためＣＤ−ＲＯＭ規格では最大７０メガバイト（ＭＢ）の容量に制限されているが、現在開発されている青色半導体レーザを再生光源とした光ディスクシステムはＣＤ比２０倍の面密度を達成しており、その分、大容量化が可能である。
さらに、現状のユーザ領域記録開始半径２５ｍｍから、例えば半径１５ｍｍまで内周側へ記録半径を拡大することによって２．５倍程度の容量を稼げる見込みがあるので、３ＧＢの容量の実現性は高い。
【００１９】
そこで、３ＧＢ容量ディスクの採用を仮定すれば、１カードにつきＤＶＤ相当の平均８Ｍｂｉｔ／ｓの映像を３０秒記録（３０ＭＢ相当）しても、１００種類のカード情報を１枚のディスクに収録することが可能である。
通常、１シリーズ１００種類前後で発売されるカードを作製するのに必要な光ディスクマスタリング原盤がわずか１枚で済むので、生産性は向上し、作製コストは大幅に低減される。
また、記録線密度の向上によって、例えば２ｍ／ｓ程度の低線速度でも再生時１０Ｍｂｉｔ／ｓ以上の転送レートを得られるので、高速回転による回転系への負担無く高精細な画像を再生することが可能となる。特に、携帯型の再生機では、消費電力を抑えられるメリットが大きい。
【００２０】
以下、現実的に最低限到達可能な記録容量について、記録密度と記録領域拡大の両面から考察する。
（１）光ディスクの記録密度は、信号面上に集光される再生光スポットの直径φによって決定される。ここで、φは、再生光波長λ、及び対物レンズ開口数ＮＡより、φ＝λ／ＮＡで与えられるので、λが短くなるほど、またＮＡが大きくなるほど（ＮＡ＜１）高記録密度化が実現できる。
ただし、対物レンズ開口数ＮＡを大きくすると、理想的再生状態でのスポットは微小化されるが、ディスク傾き、デフォーカス等、理想から外れた状態が発生した場合にスポット形状の劣化が顕著になり、再生信号の劣化に悪影響をもたらす。よって、ＮＡを上げることは簡単では無い。
なお、ＣＤではλ＝７８０ｎｍ（赤外）／ＮＡ＝０．４５、ＤＶＤではλ＝６３ｎｍ（赤）／ＮＡ＝０．６０が使用されている。
例えば、ＮＡ＝０．４５に保ったまま、波長を市販開始された青色レーザのλ＝４０５ｎｍまで短波長化させると、ＣＤ比３．７倍の記録面密度を実現できる。また、さらにＮＡをＤＶＤ同等の０．６０にすると、記録面密度はＣＤ比６．６倍まで到達する。
【００２１】
（２）次に記録半径の内周側拡大による容量アップについて述べる。
ＣＤの内周側記録領域は、
リードイン開始：２３．５ｍｍ、ユーザ領域開始半径：２５．０ｍｍ
となっている。リードイン領域はユーザ領域と同様にピット列で構成されており、外観上の違いは無いが、リードイン領域にはＴＯＣと称するディスク固有情報が記録されている。
トレーディングカードの外周記録半径は前述の如く最大３０ｍｍとして計算すると、
2004079114.tif 000003
となる。
このように半径１０ｍｍまでは容量が着実に向上するので、積極的に拡大した方が良い。すると内周にリードイン部分が１〜２ｍｍ挿入されるので、リードイン部分を含めた最内周記録半径Ｒｉｎは１０ｍｍ以下になるものと見込まれる。
しかし、さらに内周方向へ使用領域を拡大しても容量は殆ど上がらず、むしろ再生光ピックアップが内周チャッキング部段差へ衝突することに配慮して機械設計が厳しくなってしまうので、ユーザ領域開始半径は８ｍｍ程度が下限と思われる。
【００２２】
以上の（１）と（２）の考察より、λ＝４０５ｎｍの青色再生光を導入し、対物レンズ開口数ＮＡ＝０．６０とすれば、ユーザ領域記録半径を最内周８ｍｍまで拡大することによって、ＣＤ−ＲＯＭ型カード容量７０ＭＢに対して約２０倍、即ち１．４ＧＢを達成することができる。
ディスク反り、デフォーカス等に対する再生マージンを広げるため、あるいは製造上の事情により容量を１．４ＧＢより下げることがあっても、最低限１ＧＢは到達すると思われる。
逆に、１ＧＢの容量があれば、２０〜３０種類のカード情報を記録できるので、本発明の目的は達成される。
【００２３】
内周チャッキング穴（中心穴）に関しては、カードの図柄を制限しないために除去することが理想であるが、カードをしっかりと保持し、回転軸に対する偏芯を５０μｍＰ−Ｐ　以内に収めるために最も現実的な手段であるため、やむを得ず採用することが想定される。
リードイン領域を１．５ｍｍとると、ユーザ領域最内周半径＝８ｍｍの時、信号開始半径Ｒｉｎは６．５ｍｍになる。実際には、さらに内周にマスタリング原盤の名称を記したキャラクタ部、あるいはバーコードが記録されており、余白部分と合わせて２ｍｍ程度必要とする。
よって、中心穴直径Ｄを８ｍｍ以下（半径４ｍｍ入以下）にしておけば、内周側ユーザ領域半径を８ｍｍ前後まで使用することができるので、最大限の容量を得られる。また、Ｄ＝８ｍｍであれば、カードを保持するに充分であり、従来ＣＤ−ＲＯＭ型カードの直径１５ｍｍと比較して穴面積を３０％以下に低減できるので、カードの美観低下、図柄の制約という悪影響を減少できる。
【００２４】
最後に、情報記録面Ｂの基板厚ｔ（再生光入射面から信号面までの距離）を０．３８ｍｍ以下とした理由について説明する。
（１）基板厚ｔは光ディスクの再生特性に大きく影響を与える要因であり、光学特性の観点からは薄いことが望ましい。前述のようにフォーカス外れ、ディスク傾きが発生した際の、信号面上における再生光スポット形状の劣化は、波長λが短くなるほど、また対物レンズ開口数ＮＡが大きくなるほど顕著になるが、基板厚ｔを薄くすることで劣化を低減できる（反面、再生光入射面のゴミや傷に弱くなる欠点がある）。
定量的には、基板厚ｔをλ／（ＮＡ）４　に比例させることがガイドラインとなっている。
【００２５】
例えば、現行または現在開発中のシステムでは、以下のようにｔを設定している。
（ａ）ＣＤ：λ＝７８０ｎｍ　　ＮＡ＝０．４５　→　基板厚ｔ＝１．２ｍｍ
＊λ／（ＮＡ）４　（相対値）　２．３
（ｂ）ＤＶＤ：λ＝６３５ｎｍ　　ＮＡ＝０．６０　→　基板厚ｔ＝０．６ｍｍ
＊λ／（ＮＡ）４　（相対値）　０．６
（ｃ）次世代超高密度ディスク（ＣＤ比２０倍超密度）：
λ＝４０５ｎｍ　　ＮＡ＝０．８５　→　基板厚ｔ＝０．１ｍｍ
＊λ／（ＮＡ）４　（相対値）　０．１
以上示したように、記録密度が相対的に低く再生に余裕のあるＣＤを除き、ＤＶＤ以降では［λ／（ＮＡ）４　］に比例した基板厚ｔが採用されている。
【００２６】
本実施の形態のディスクフォーマットは、λ＝４０５ｎｍ、及びＮＡ＝０．６０以上を前提としている。
そこで、ＮＡ＝０．６０〜０．８５の範囲でλ／（ＮＡ）４　の相対値（＝適正基板厚）を求めた結果を以下に示す。
・λ＝４０５ｎｍ　　　ＮＡ＝０．８５　→　　＊λ／（ＮＡ）４（相対値）　０．１０
・λ＝４０５ｎｍ　　　ＮＡ＝０．７５　→　　＊λ／（ＮＡ）４（相対値）　０．１６
・λ＝４０５ｎｍ　　　ＮＡ＝０．７０　→　　＊λ／（ＮＡ）４（相対値）　０．２０
・λ＝４０５ｎｍ　　　ＮＡ＝０．６５　→　　＊λ／（ＮＡ）４（相対値）　０．２８
・λ＝４０５ｎｍ　　　ＮＡ＝０．６０　→　　＊λ／（ＮＡ）４（相対値）　０．３８
この結果より、λ＝４０５ｎｍにおいてＮＡ＝０．６０を達成するためには、ｔ≦０．３８ｍｍが必要である。
【００２７】
（２）通常の紙製カード厚が０．５ｍｍ前後であるのに対して、現在のＣＤ−ＲＯＭ型カードは１．５ｍｍ厚程度になっており、やや厚くて重く違和感がある。これは、ＣＤ−ＲＯＭがポリカーボネート製の基板厚ｔ＝１．２ｍｍを必要とするからである。
ｔ≦０．３８ｍｍであれば、カード図柄印刷面（面Ａ）と貼り合わせても合計０．７ｍｍ程度に仕上げることができるので、通常のカードと寸法上の差異が少なくなる。
また、貼り合わせ時の厚み増加が少ないので、面Ａ側に厚めの高級素材を使用することもできる。
よって、ＣＤ−ＲＯＭ型と比較して面Ａ側の素材、厚みに対する自由度が広がるので、カードとしての付加価値をより高められる。
以上、（１）と（２）の考察により、情報記録面Ｂの基板厚ｔ（再生光入射面から信号面までの距離）をｔ≦０．３８ｍｍとした。
【００２８】
次に、以上のような条件を前提とする本発明の情報記録媒体（複合式カード）とその再生装置（再生方法）の具体的実施例について図面を用いて説明する。
なお、本実施例の複合式カードはトレーディングカード形状を前提にしているが、カードに限らずどのような形状でも適用可能である。例えば、ディスク形状をした「トレーディングディスク」が提供される可能性もあり、本発明はこのような形状にも対応し得るものである。
【００２９】
図１は本実施例による複合式カードの再生装置のシステム構成の概要を示すブロック図である。
この再生装置は、複合式カード１００が装着されるカード装着部１１０と、このカード装着部１１０に臨む位置に配置されて複合式カード１００の図柄面Ａの所定位置に印刷された暗号ＩＤを読み取る読み取り装置（Ｒｏ）１２０と、複合式カード１００の情報記録面Ｂに対して情報再生を行うディスク再生部１３０と、再生信号の出力部１４０と、各種操作を行う操作部１５０を有している。
カード装着部１１０には、ターンテーブル等が配置されており、装着された複合式カード１００の中心穴をチャッキングし、所定の回転速度で回転させる機能を有する。
また、読み取り装置１２０は、本例の暗号ＩＤがバーコードを用いているため、ＣＣＤリニアセンサ等によるバーコードリーダ（光スキャナ）として構成されている。なお、本例では暗号ＩＤとしてバーコード、すなわち１次元のパターンコードを用いているが、２次元のパターンコードを用いることも可能である。
【００３０】
また、ディスク再生部１３０は、通常の光ディスクと同様に光学ピックアップによる情報再生を行うものである。
また、出力部１４０は、スピーカやディスプレイ等を含むものであり、ディスク再生部１３０によって再生された音声や映像の出力を行う。なお、外部のＡＶ機器に接続して用いるような構成ももちろん可能である。
また、操作部１５０は、ユーザが本装置を使用するにあって各種の操作を行うキーボード等より構成されている。
【００３１】
次に、複合式カード１００の具体例について説明する。
図２は本実施例による複合式カード１００のカード図柄面Ａの一例を示す平面図及び側面図である。図示のように、このカード図柄面Ａ（第１面）は、薄板状のカード（第１部材）２００によって形成される。
カード２００の素材、厚さは特に制約はないものとする。また、中心部に中心穴（直径Ｄ）２１０が形成されている。
このカード２００の表面には、主題となる図柄、文字が印刷されている。
また、所定位置に、上述した暗号ＩＤ（本例ではバーコード）２２０が印刷されている。なお、本例において、主題となる図柄、文字と暗号ＩＤは、同時印刷によってカード２００に印刷されているものとする。
【００３２】
図３は本実施例による複合式カード１００の情報記録面Ｂの一例を示す平面図及び側面図である。図示のように、この情報記録面Ｂ（第２面）は、薄板方形状の光ディスク（第１部材）３００として形成され、この光ディスク３００内に円環状の信号記録部３１０を設け、その中心に中心穴３２０を設けたものである。この光ディスク３００の記録容量は、３．３ＧＢとする。
また、変調方式：ＥＦＭ、線密度：０．１３５μｍ／ｂｉｔ、トラックピッチ：０．４０μｍとする。また、ユーザ領域記録半径Ｒ：８．０ｍｍ≦Ｒ≦３０．０ｍｍとする。
また、リードイン部分含む記録信号最内周半径Ｒｉｎ＝６．５ｍｍとし、中心穴直径Ｄ：Ｄ＝５ｍｍ、基板厚ｔ：ｔ＝０．１０ｍｍとする。
この情報記録面Ｂには、１カードにつき平均３０ＭＢの情報が１１０種類記録されている。当然、記録するカードの種類を減らして、１カードあたりの情報を増やしても良い。
【００３３】
さらに、上述した再生装置、及び再生方法の細部の内容について説明する。
まず、再生装置の光学系は、上記情報記録面Ｂの記録密度に対応して、
再生波長λ＝４０５ｎｍ／対物レンズ開口数ＮＡ＝０．８５
とする。
また、カード図柄面Ａ上に印刷された情報Ｘへアクセスするための暗号ＩＤの読み取り装置Ｒｏが再生光学系と反対側に存在する。
また、暗号ＩＤは、読み取り装置Ｒｏ上を通過しなくてはならないので、必ず全てのカードで所定の位置に記されていなくてはならない。また、カードが静止した状態で暗号ＩＤを読み取る場合と、カードが回転した状態で暗号ＩＤを読み取る場合が考えられる。前者の場合には、ユーザがカードを再生装置に取り付けた時点で暗号ＩＤが読み取り装置Ｒｏの直下にあることが望ましい。
【００３４】
そこで、ユーザにカードの取り付け方向を指示するために、中心穴に切り欠きが入っていたり、穴が円形ではなく、例えば二等辺三角形状など、直径８ｍｍの円内で中心非対称な形状になっていても良い。
図４は、その具体例を示しており、図４（Ａ）は円形穴４００の一部に切り欠き４１０を入れたもの、図４（Ｂ）は二等辺三角形状の穴４２０、図４（Ｃ）はホームベース形状の穴４３０の例である。
この場合、回転軸が絶対角度座標θを持っており、カード取り付け時に暗号ＩＤが読み取り装置Ｒｏ直下に位置するように予め回転軸のθが所定角度θａをとって待ち受けているか（前回の再生が終了する際、θ＝θａの状態で回転軸が停止する）、カード取り付け後、再生を開始する際にθ＝θａになるように回転する。
【００３５】
図５は本実施例によるカード装着後の再生装置の動作例を示すフローチャートである。
カードが取り付けられたことが確認されると（ステップＳ１）、読み取り装置Ｒｏが暗号ＩＤを読み取り（ステップＳ２）、カード図柄面Ａに対応する情報Ｘのアドレスを認識し、情報記録面Ｂに記録された情報Ｘへアクセスを行う（ステップＳ３）。
これにより、再生装置は、情報Ｘのみを再生して終了する（ステップＳ４、Ｓ５）。なお、この再生の際に、再生エラーが生じた場合には、エラーメッセージを出力してエラー終了となる（ステップＳ８）。
また、ステップＳ５でリピート再生の要求があった場合には、その要求に応じて再生動作を繰り返すことになる。
この後、再生が終了してユーザがカードを取り出すと（ステップＳ６）、暗号ＩＤの認識結果は消去される（ステップＳ７）。
【００３６】
なお、例えば情報記録面Ｂの表面に傷をつけてしまい、１つの情報Ｘ（再生用データ）が再生エラーとなって再生できない場合が考えられる。
そこで、このような再生エラー対策として、１つの暗証ＩＤに対応する同一内容の再生用データ（Ｘ１、Ｘ２、……Ｘｎ（ｎ≧２））を情報記録面Ｂに複数記録しておき、再生時に複数の同一再生用データについて順番にアクセスして再生を試行し、再生エラーが生じた場合には、その再生用データを飛ばして次の再生用データの再生を試行し、適正な再生用データの再生を実行するような方法も可能である。
【００３７】
図６は、この場合の動作例を示すフローチャートである。
例えば、同一内容の再生用データ（Ｘ１、Ｘ２、……Ｘｎ）が信号記録面Ｂに記録されており、図柄面Ａ上の暗号ＩＤには、それら全てへのアクセス方法が記録されているものとする。
まず、暗号ＩＤによって各再生用データ（Ｘ１、Ｘ２、……Ｘｎ）のアクセス情報を取得し（ステップＳ１１、Ｓ１２）、最初に再生用データＸ１へのアクセスを試みる（ステップＳ１３）。ここで再生不能であれば、次に、再生用データＸ２へのアクセスを試みる（ステップＳ１４）。
そして、このような試行動作を繰り返し、最悪の場合には、最後の再生用データＸｎへのアクセスを試み（ステップＳ１６）、なお再生不能であれば、エラーメッセージを出力し（ステップＳ１７）、エラー終了となる。
また、いずれかの再生用データＸ１〜Ｘｎで適正な再生が行えた場合には、その時点で再生終了となる（ステップＳ１８）。
特に信号記録面内に記録するカード（再生用データ）の種類が少なく、容量に余裕がある場合には、以上の方法で不良率を低下させることができる。
【００３８】
最後に情報記録面Ｂを構成する光ディスクの製造方法について、図７及び図８を参照して以下に説明する。
まず、図７（ａ）〜（ｅ）に示すように、マスタリング原盤５００にフォトリソグラフィによってピット列を記録し、そこから転写用のニッケル金型（スタンパ）を作製するまでの工程は一般的光ディスク工程と全く同様である。
すなわち、図７（ａ）（ｂ）に示すように、まず平坦に研磨及び洗浄されたガラス原盤５００上に、感光させることによってアルカリ可溶性となるフォトレジスト５１０をスピンコート法によって例えば厚さ約５０〜１００ｎｍの膜厚に塗布する。
次に、図７（ｃ）に示すように、フォトレジスト５１０が塗布されたガラス原盤５００を回転させ、記録信号に合わせて強度変調を受けたレーザ光５３０を対物レンズ５２０でフォトレジスト５１０上に集光し、露光する。
この時、ガラス原盤５００と対物レンズ５２０の位置を相対的に原盤５００の半径方向に移動させることにより、スパイラル状の潜像５４０を形成する。なお、本例で想定している高密度パターンを露光する場合、記録光として波長３５０〜２５０ｎｍの紫外から遠紫外領域レーザが、対物レンズはＮＡ０．９０程度の高開口数レンズが使用される。
【００３９】
次に、図７（ｄ）に示すように、露光されたフォトレジスト５１０をノズル５５０等によってアルカリ現像することにより、感光した領域を溶解し、グルーブやピットの列といった構造が形成される（図示の例ではピット列５６０）。
次に、図７（ｅ）に示すように、ガラス原盤５００上に形成されたパターンを大量のプラスチック基板へ転写するために、まず一旦、金属層を原盤上に所定厚メッキ成長させた後に、原盤から剥がし取る方法によって上記パターンを有するスタンパ５７０を作製する。
一般的に金属材料としてニッケルが用いられ、またスタンパの厚さは０．３〜０．５ｍｍ程度である。
なお、ニッケルメッキはメッキ成長速度の早い電気メッキ法を用いるが、予め原盤表面に導電性を持たせておかなければならないので、前処理としてスパッタ法、または化学反応によってニッケルを析出させる無電解メッキ法によりニッケル薄膜をコーティングする必要がある。
【００４０】
ところで、光ディスクの場合、スタンパからポリカーボネイト等のプラスチック基板への転写には射出成形法が用いられる。射出成形法とは、平面金型とスタンパを取り付けた金型が基板厚の間隔で対向しており、一方の金型の中心穴から３５０℃程度の高温で溶融したプラスチック材料が挿入され、金型内で十秒程度の冷却後、硬化してディスク状になったプラスチック基板を、一方の金型が移動した後に取り出す方法である。
プラスチック基板の片面にはスタンパの凹凸パターンが、片面には金型の平面が転写される。
【００４１】
しかしながら、本例のように、厚さｔ≦０．３８ｍｍと薄い基板に転写を行う場合には、上記射出成形法を用いると基板反りの発生が防げず、また０．２ｍｍ以下の薄さになると基板が軟らかいシート状になってしまうため、成形後の取扱いが困難になる。
そこで本例においては、図８に示すように、予め厚さｔの板状、またはシート状のプラスチック（本例ではプラスチック転写シート６００とする）を用意しておき、圧着ローラ６１０、６２０等でスタンパ５７０上へ密着させながら、加熱ステージ等６３０等によって加圧・加熱を行うことにより、直接パターンを転写する方法を採用する。
なお、これは例えば特開平１１−１８５２９１号に開示される方法である。また、プラスチック転写シートとしては、最近では厚み誤差が±３μｍ以下と均一性が高く、光学特性も良いシート状のポリカーボネイト等が開発されており、実用に支障はないものとなっている。
【００４２】
また、スタンパ５７０には信号の円周を基準とした直径Ｄの中心穴が開けられており、同じくプラスチック転写シート６００にも転写前に予め直径Ｄの中心穴が開けられている。
そこで、センターピン６４０を用いてスタンパ５７０とプラスチック転写シート６００の中心穴を合わせた後に転写を行うことで、プラスチック転写シート６００に転写された信号面と中心穴の偏芯は、３０μｍｐ−ｐ　程度に抑えることができる（なお、スタンパ５７０に中心穴を打ち抜く際に発生する、スタンパ面内における信号と中心穴の偏芯が１０μｍｐ−ｐ　以下、センターピン６４０によってスタンパ５７０とプラスチック転写シート６００の中心合わせを行う際に発生する偏芯が２０μｍｐ−ｐ　以下と見込まれる）。
【００４３】
この後、プラスチック転写シート（情報記録面Ｂ）の信号転写面Ｂ−２上にアルミニウム等の金属反射膜Ｌｒを蒸着またはスパッタにより成膜する。なお、反射膜成膜工程前後にカード形状に切断する工程が挿入される。
最後に面Ｂ−２と、直径Ｄの中心穴が開けられたカード面Ａの裏面が接着されてカードが完成する。
接着時にセンターピンを用いて、カード図柄面Ａと情報記録面Ｂの中心穴を合致させることで、最終的にカードの中心穴と面Ｂ上の記録信号との偏芯は５０μｍｐ−ｐ　程度に抑えることができる。
【００４４】
以上のような本実施の形態を適用することにより、次のような効果を得ることが可能である。
まず、複数種類カードの情報を記録した大容量ＲＯＭ型光ディスク構造を採用し、カード記録容量を１ＧＢ以上としたことにより、１カードあたりデータ量を平均３０ＭＢとして、約３０種類以上のカード情報が記録可能となる。また、記録信号最内周半径Ｒｉｎ≦１０ｍｍとする。
【００４５】
また、カード図柄が描かれた面Ａには、それぞれの図柄に対応した暗号ＩＤを例えばバーコード状に印刷しており、専用再生装置が最初に暗号ＩＤを読み取ると、この暗号ＩＤが指示するディスク上のアドレスへアクセスし、カードに対応した固有の情報Ｘのみを再生することから、カード１枚１枚毎にマスタリング原盤を作製する必要が無くなり、マスタリング原盤作製枚数が大幅に削減されるので、生産コストが下がり、従来のＣＤ−ＲＯＭ型カードと比較して多品種生産かつ低価格での提供が可能となった情報記録カードの広範な普及が見込まれる。
同時に、記録線密度が向上することで１０Ｍｂｐｓ以上の高転送レートが２ｍ／ｓ以下の低線速度で達成され、回転系に負担をかけることなくＤＶＤ同等の高精細映像が再生できる。
また、面Ｂの記録半径の内周側拡大に伴い、カードの中心穴直径ＤをＣＤ−ＲＯＭ型の１５ｍｍから、Ｄ≦８ｍｍと小径化した。これにより、従来は面Ａの図柄に大きな制約を与え、カードの美観を損ねていた中心穴の面積を３０％以下に低減できる。
【００４６】
さらに、面Ｂの基板厚ｔ（再生光入射面から信号面までの距離）を、ｔ≦０．３８ｍｍとすることにより、本例の大容量光ディスク再生に対応する光学系（再生波長λ＝約４００ｎｍ／対物レンズ開口数ＮＡ≧０．６０）を適用するにあたって、ディスク傾きやフォーカス外れによって発生する再生信号劣化を、ＤＶＤ同等に低減することができる。
また、従来のＣＤ−ＲＯＭ型では基板厚ｔ＝１．２ｍｍであったので、カード面Ａの厚みは０．３ｍｍ以下に制限され、材質も自由に選択できず、それでも貼り合わせ後のカード厚は通常カードの２倍以上になり違和感があった。
これに対し、本例では、ｔ≦０．３８ｍｍとすることにより、面Ａの材質や厚みの自由度は増し、貼り合わせ後も合計の厚さを１ｍｍ以下に抑えることができる。
【００４７】
【発明の効果】
以上説明したように本発明では、情報記録媒体を任意の図柄を印刷した第１面を構成する第１部材と、第１面の図柄に関連する再生用データを光ディスクのフォーマットで記録した第２面を構成する第２部材とを貼り付けた構造とし、その第２面には複数の再生用データを記録しておくとともに、第１部材で形成される第１面には、当該第１面に印刷された図柄に対応し、かつ、第２面に記録された複数の再生用データを選択するためのＩＤ情報を印刷しておく。
そして、情報記録媒体の再生時には、第１面のＩＤ情報を読み取って解読することにより、第２面に記録された複数の再生用データを選択して再生を行う。
【００４８】
したがって、第１部材側を大容量化して多数の種類の再生用データを格納することにより、光記録媒体の生産を共通化して生産コストを低下させ、第１部材側は多品種少量生産によって多数種類の図柄に対応し、かつ、ＩＤ情報を用いて再生用データを選択することで、図柄に対応した再生用データを再生できる情報記録媒体を提供できる。
この結果、トレーディングカードと光記録媒体とを結合した複合式カードにおいて、トレーディングカード本来の魅力である図柄や素材の自由度をできる限り損ねることなく、高精細な映像や音声等の記録情報によって付加価値を与え、さらに、そのような多種類の記録情報を含む複合式カードの製造を低コストで実現でき、販売価格を抑制し、普及・発展に貢献することが可能となる。
【図面の簡単な説明】
【図１】本発明の実施の形態による複合式カードの再生装置の構成例を示すブロック図である。
【図２】図１に示す実施の形態で用いる複合式カードのカード図柄面Ａの一例を示す平面図及び側面図である。
【図３】図１に示す実施の形態で用いる複合式カードの情報記録面Ｂの一例を示す平面図及び側面図である。
【図４】図１に示す実施の形態で用いる複合式カードの中心穴の形状例を示す平面図である。
【図５】図１に示す実施の形態におけるカード再生装置の動作例を示すフローチャートである。
【図６】図１に示す実施の形態におけるカード再生装置の他の動作例を示すフローチャートである。
【図７】図１に示す実施の形態における複合式カードの製造工程の一例を示す説明図である。
【図８】図１に示す実施の形態における複合式カードの製造工程の一例を示す説明図である。
【図９】従来の複合式カードの構造を示す説明図である。
【図１０】図９に示す複合式カードを構成するＣＤ−ＲＯＭの構成例を示す平面図及び側断面図である。
【符号の説明】
１００……複合式カード、１１０……カード装着部、１２０……読み取り装置、１３０……ディスク再生部、１４０……出力部、１５０……操作部。
【図１】
2004079114.tif 000004
【図２】
2004079114.tif 000005
【図３】
2004079114.tif 000006
【図４】
2004079114.tif 000007
【図５】
2004079114.tif 000008
【図６】
2004079114.tif 000009
【図７】
2004079114.tif 000010
【図８】
2004079114.tif 000011
【図９】
2004079114.tif 000012
【図１０】
2004079114.tif 000013